(57)【要約】【課題】  ディスクリネーションの発生を防止することが可能な液晶表示装置を提供する。【解決手段】  素子基板２５とカラーフィルタ基板１０との間に液晶層５０を挟持してなり、その液晶層５０は、選択電圧印加時において水平配向する液晶分子５１で構成され、素子基板２５およびカラーフィルタ基板１０の液晶層５０側には、非選択電圧印加時において液晶分子５１を垂直配向させる配向膜２３，３３が形成され、その配向膜２３，３３には、隣接する画素電極３１，３１間に設けられたデータ線１１と平行にラビング処理が施されている。【選択図】        図３
2006071868.tif 000002
【特許請求の範囲】
【請求項１】
一対の基板の間に液晶層を挟持してなり、
前記基板と前記液晶層との間には、前記液晶層に電圧を印加する画素電極が形成され、
前記液晶層は、選択電圧印加時において電界方向と略垂直に配向する誘電率異方性が負の液晶分子で構成され、
前記基板の前記液晶層側には、非選択電圧印加時において前記液晶分子を前記基板の垂直方向から一定方向に傾斜配向させる配向規制手段が形成された液晶表示装置であって、
前記一定方向は、隣接する前記画素電極の形成領域の間に設けられた配線と平行な方向であることを特徴とする液晶表示装置。
【請求項２】
前記配線は、前記画素電極の長手方向に沿って設けられたものであることを特徴とする請求項１に記載の液晶表示装置。
【請求項３】
前記画素電極の形成領域には、透過表示領域と反射表示領域とが設けられ、
前記透過表示領域のみに、選択電圧印加時における前記液晶分子の傾倒方向を複数に分割する配向分割手段が設けられていることを特徴とする請求項１または請求項２に記載の液晶表示装置。
【請求項４】
一対の基板の間に液晶層を挟持してなり、
前記基板と前記液晶層との間には、前記液晶層に電圧を印加する画素電極が形成され、
前記液晶層は、選択電圧印加時において電界方向と略垂直に配向する誘電率異方性が負の液晶分子で構成され、
前記基板の前記液晶層側には、非選択電圧印加時において前記液晶分子を前記基板の垂直方向から一定方向に傾斜配向させる配向規制手段が形成された液晶表示装置であって、
前記画素電極の形成領域には、透過表示領域と反射表示領域とが設けられ、
前記一対の基板のうち少なくともいずれかの基板と前記液晶層との間には、前記反射表示領域における前記液晶層の厚さを前記透過表示領域における前記液晶層の厚さよりも小さくするための液晶層厚調整層が設けられ、
前記反射表示領域と前記透過表示領域との間には、前記液晶層厚調整層の傾斜領域が形成され、
前記配向規制手段は、非選択電圧印加時において、前記傾斜領域に配置された前記液晶分子を、前記傾斜領域の垂直方向から前記透過表示領域の方向に傾斜配向させるように構成されていることを特徴とする液晶表示装置。
【請求項５】
前記透過表示領域のみに、選択電圧印加時における前記液晶分子の傾倒方向を複数に分割する配向分割手段が設けられていることを特徴とする請求項４に記載の液晶表示装置。
【請求項６】
前記配向規制手段は、ラビング処理された配向膜であることを特徴とする請求項１ないし請求項５のいずれかに記載の液晶表示装置。
【請求項７】
請求項１ないし請求項６のいずれかに記載の液晶表示装置を備えたことを特徴とする電子機器。
【発明の詳細な説明】
【技術分野】
【０００１】
本発明は、液晶表示装置および電子機器に関するものである。
【背景技術】
【０００２】
一対の基板の間に液晶層が挟持された液晶表示装置の一種として、反射モードと透過モードとを兼ね備えた半透過反射型の液晶表示装置が知られている。このような半透過反射型の液晶表示装置として、例えばアルミニウム等の金属膜に光透過用の窓部を形成した反射膜を光源側基板の内面に備え、この反射膜を半透過反射板として機能させるものが提案されている。反射モードでは、観察者側基板から入射した外光が、液晶層を通過した後に光源側基板の内側の反射膜で反射され、再び液晶層を通過して観察者側基板から出射されて表示に寄与する。一方、透過モードでは、光源側基板から入射した光源光が、反射膜の窓部から液晶層を通過した後、観察者側基板から観察者側に出射されて表示に寄与する。したがって、反射膜の形成領域のうち、窓部が形成された領域が透過表示領域、その他の領域が反射表示領域となっている。
【０００３】
ところが、従来の半透過反射型の液晶表示装置には、透過表示での視角が狭いという課題があった。これは、視差が生じないよう液晶セルの内面に半透過反射板を設けている関係で、観察者側に備えた１枚の偏光板だけで反射表示を行わなければならないという制約があり、光学設計の自由度が小さいためである。そこで、この課題を解決するために、地崎らは、非特許文献１において垂直配向液晶を用いる新しい液晶表示装置を提案し、特許文献１においてこれを開示した。その特徴は、以下の３つである。
（１）誘電率異方性が負の液晶を基板に垂直に配向させ、選択電圧印加によってこれを倒す「ＶＡ（Vertical Alignment）モード」を採用している点。
（２）透過表示領域と反射表示領域との液晶層厚（セルギャップ）が異なる「マルチギャップ構造」を採用している点。
（３）透過表示領域を正八角形とし、この領域内で液晶が放射状に倒れるように、観察者側基板上の透過表示領域の中央に突起を設けている点。すなわち、「配向分割構造」を採用している点。
【０００４】
半透過反射型の液晶表示装置において、上述したマルチギャップ構造を具備させることは非常に有効である。なぜなら、透過表示領域では入射光が液晶層を１回しか透過しないが、反射表示領域では入射光が液晶層を２回透過するため、透過表示領域と反射表示領域とのリタデーション（位相差）に差異が生じるからである。そこで、マルチギャップ構造によってリタデーションを調節することにより、透過表示領域と反射表示領域との光透過率が均一化され、表示品質に優れた液晶表示装置が得られる。
【０００５】
また、配向分割構造を採用しない場合には、選択電圧印加により液晶分子はランダムな方向に傾倒し、異なる液晶配向領域の境界に不連続線（ディスクリネーション）が現れて残像等の原因になる。また、異なる液晶配向領域は異なる視角特性を有するため、斜め方向から見た場合にざらざらとしたシミ状のムラとして見えることになる。これに対して、配向分割構造を採用することにより、選択電圧印加時に液晶分子を全方向に配向させることが可能になる。したがって、視野角が広く表示品質に優れた液晶表示装置が得られる。
【特許文献１】特開２００２−３５０８５３号公報
【非特許文献１】"Development of transflective LCD for high contrast and wide viewing angle by using homeotropic alignment", M.Jisaki et al., Asia Display/IDW'01, p.133-136(2001)
【発明の開示】
【発明が解決しようとする課題】
【０００６】
上述したマルチギャップ構造では、透過表示領域と反射表示領域との間に液晶層厚調整層の傾斜領域が形成される。この傾斜領域上に配置された液晶分子は、非選択電圧印加時には傾斜領域と垂直に配向し、選択電圧印加により反射表示領域から透過表示領域に向かって傾倒する。これにより、傾斜領域における液晶分子が配向制御されるようになっている。
【０００７】
しかしながら、上述した傾斜領域における配向制御はそれほど強力なものではない。傾斜領域と突起との距離が一定以上に離れると、選択電圧印加時に液晶分子が無秩序な方向に傾倒し、異なる液晶配向領域の境界にディスクリネーションが現れ、これが残像等の原因になる。また、異なる液晶配向領域は異なる視角特性を有するため、斜め方向から液晶表示装置を見たときに、ざらざらとしたしみ状のむらとして見えるという問題も生じる。
【０００８】
一方、隣接する画素電極の形成領域の間には、走査線やデータ線等の配線が形成されている。そして、液晶層に対する選択電圧印加時に、隣接する画素電極が同程度の電位となった場合には、両者間に配置された液晶分子が上記配線に沿って傾倒する。この場合、液晶分子の傾倒方向として、配線の上流方向または下流方向の２種類が存在するが、どちらの方向に傾倒する確率も等しい。したがって、異なる配向領域の境界部（ディスクリネーション）は、配線上のランダムな位置に発生する。なお、このディスクリネーション自体は、配線やブラックマトリクスに隠れてしまうため、表示品質上の問題は生じない。しかしながら、画素電極を構成するサブドット上の液晶分子が、このディスクリネーションに引きずられて偏向するので、ざらざらとしたしみ状のむらとして見えるという問題が生じる。
【０００９】
本発明は、上記課題を解決するためになされたものであって、ディスクリネーションの発生を防止し、ひいては開口率を向上させることが可能な、液晶表示装置の提供を目的とする。
また、表示品質に優れた電子機器の提供を目的とする。
【課題を解決するための手段】
【００１０】
上記目的を達成するため、本発明の液晶表示装置は、一対の基板の間に液晶層を挟持してなり、前記基板と前記液晶層との間には、前記液晶層に電圧を印加する画素電極が形成され、前記液晶層は、選択電圧印加時において電界方向と略垂直に配向する誘電率異方性が負の液晶分子で構成され、前記基板の前記液晶層側には、非選択電圧印加時において前記液晶分子を前記基板の垂直方向から一定方向に傾斜配向させる配向規制手段が形成された液晶表示装置であって、前記一定方向は、隣接する前記画素電極の形成領域の間に設けられた配線と平行な方向であることを特徴とする。
【００１１】
この構成によれば、非選択電圧印加時における液晶分子は、配線と平行な一定方向に傾斜配向しているので、選択電圧印加により、配線の上流方向または下流方向のいずれか一定方向に傾倒する。したがって、配線上にディスクリネーションが発生しない。これに伴って、画素電極上の液晶分子の偏向を防止することが可能になり、表示むらの発生を阻止することができる。
【００１２】
なお、前記配線は、前記画素電極の長手方向に沿って設けられたものであることが望ましい。
この構成によれば、画素電極の長手方向に沿った配線上におけるディスクリネーションの発生を防止することができるので、画素電極の長手方向と配線との間に広い隙間を確保する必要がない。加えて、前記配線に近接する画素電極の端辺を長くすることが可能になり、画素電極のサブドットへの分割数を少なくすることができる。よって、画素電極に多数のスリットを形成する必要がない。これらにより、開口率を向上させることができる。
【００１３】
また、前記画素電極の形成領域には、透過表示領域と反射表示領域とが設けられ、前記透過表示領域のみに、選択電圧印加時における前記液晶分子の傾倒方向を複数に分割する配向分割手段が設けられていることが望ましい。
【００１４】
この構成によれば、透過表示領域に配置された液晶分子は、選択電圧印加により、配向分割手段によって分割配向される。これに対して、反射表示領域に配置された液晶分子は、配向規制手段によって一定方向に整列配向される。なお、反射表示領域はリタデーションの自己補償性を有するので、液晶表示装置の視野角を確保することは可能である。これにより、反射表示領域に配向分割手段を設けていないので、開口率を向上させることができる。
【００１５】
また、本発明の他の液晶表示装置は、一対の基板の間に液晶層を挟持してなり、前記基板と前記液晶層との間には、前記液晶層に電圧を印加する画素電極が形成され、前記液晶層は、選択電圧印加時において電界方向と略垂直に配向する誘電率異方性が負の液晶分子で構成され、前記基板の前記液晶層側には、非選択電圧印加時において前記液晶分子を前記基板の垂直方向から一定方向に傾斜配向させる配向規制手段が形成された液晶表示装置であって、前記画素電極の形成領域には、透過表示領域と反射表示領域とが設けられ、前記一対の基板のうち少なくともいずれかの基板と前記液晶層との間には、前記反射表示領域における前記液晶層の厚さを前記透過表示領域における前記液晶層の厚さよりも小さくするための液晶層厚調整層が設けられ、前記反射表示領域と前記透過表示領域との間には、前記液晶層厚調整層の傾斜領域が形成され、前記配向規制手段は、非選択電圧印加時において、前記傾斜領域に配置された前記液晶分子を、前記傾斜領域の垂直方向から前記透過表示領域の方向に傾斜配向させるように構成されていることを特徴とする。
【００１６】
この構成によれば、傾斜領域に配置された前記液晶分子は、選択電圧印加により、反射表示領域から透過表示領域に向かって傾倒する。したがって、傾斜領域におけるディスクリネーションの発生を防止することができる。
【００１７】
なお、前記透過表示領域のみに、選択電圧印加時における前記液晶分子の傾倒方向を複数に分割する配向分割手段が設けられていることが望ましい。
この構成によれば、傾斜領域におけるディスクリネーションの発生を防止することができるので、傾斜領域に沿って画素電極にスリットを設ける必要がない。したがって、開口率を向上させることができる。
【００１８】
なお、前記配向規制手段は、ラビング処理された配向膜であることが望ましい。
この構成によれば、配向規制手段を簡単かつ安価に形成することができる。
【００１９】
一方、本発明の電子機器は、上述した液晶表示装置を備えたことを特徴とする。
この構成によれば、ディスクリネーションの発生がなく開口率の高い液晶表示装置を備えているので、表示品質に優れた電子機器を提供することができる。
【発明を実施するための最良の形態】
【００２０】
以下、本発明の実施形態につき、図面を参照して説明する。なお、以下の説明に用いる各図面では、各部材を認識可能な大きさとするため、各部材の縮尺を適宜変更している。なお本明細書では、液晶表示装置の各構成部材における液晶層側を内側と呼び、その反対側を外側と呼ぶことにする。また、「非選択電圧印加時」および「選択電圧印加時」とは、それぞれ「液晶層への印加電圧が液晶のしきい値電圧近傍である時」および「液晶層への印加電圧が液晶のしきい値電圧に比べて十分高い時」を意味しているものとする。
【００２１】
［第１実施形態］
最初に、本発明の第１実施形態に係る液晶表示装置につき、図１ないし図５を用いて説明する。図３に示す第１実施形態の液晶表示装置は、透過型の液晶表示装置であって、素子基板２５とカラーフィルタ基板（以下「ＣＦ基板」という。）１０との間に液晶層５０を挟持してなり、素子基板２５と液晶層５０との間には、液晶層５０に電圧を印加する画素電極３１が形成され、液晶層５０は、選択電圧印加時において電界方向と略垂直に配向する誘電率異方性が負の液晶分子で構成され、素子基板２５およびＣＦ基板１０の液晶層５０側には、非選択電圧印加時において前記液晶分子を各基板１０，２５の垂直方向から一定方向に傾斜配向させる配向規制手段が形成されているものである。
【００２２】
（等価回路）
図１は、ＴＦＤ素子を用いた液晶表示装置の等価回路図である。この液晶表示装置１００には、走査信号駆動回路１１０により駆動される複数の走査線９と、データ信号駆動回路１２０により駆動される複数のデータ線１１とが、格子状に配置されている。その各走査線９と各データ線１１との交点付近には、それぞれＴＦＤ素子１３および液晶表示要素（液晶層）５０が配置されている。そして、その各ＴＦＤ素子１３および各液晶層５０は、各走査線９と各データ線１１との間に直列接続されている。
【００２３】
（平面構造）
図２は、ＴＦＤ素子を用いた液晶表示装置の表示領域を示す部分斜視図である。本実施形態の液晶表示装置１００は、相互に対向する素子基板２５とＣＦ基板１０とを主体として構成されており、前記両基板１０，２５の間には図示略の液晶層が挟持されている。
【００２４】
素子基板２５は、ガラスやプラスチック、石英等の透光性材料からなる基板本体２５Ａを備えている。また、基板本体２５Ａの内側（図示下側）には、複数のデータ線１１がストライプ状に設けられている。さらに、ＩＴＯ（インジウム錫酸化物）等の透明導電材料からなる平面視略矩形状の複数の画素電極３１が、マトリクス状に配列形成されている。
そして、各画素電極３１はＴＦＤ素子１３を介して前記データ線１１と接続されている。
このＴＦＤ素子１３は、基板表面に形成されたＴａを主成分とする第１導電膜と、その第１導電膜の表面に形成されたＴａ２Ｏ３を主成分とする絶縁膜と、その絶縁膜の表面に形成されたＣｒを主成分とする第２導電膜とによって構成されている（いわゆるＭＩＭ構造）。そして、第１導電膜がデータ線１１に接続され、第２導電膜が画素電極３１に接続されている。これによりＴＦＤ素子１３は、画素電極３１への通電を制御するスイッチング素子として機能するようになっている。
【００２５】
一方、ＣＦ基板１０は、ガラスやプラスチック、石英等の透光性材料からなる基板本体１０Ａを備えている。また、基板本体１０Ａの内側（図示上側）には、カラーフィルタ層（以下「ＣＦ層」という。）２２と、複数の対向電極９とが形成されている。ＣＦ層２２は、平面視略矩形状のカラーフィルタ２２Ｒ，２２Ｇ，２２Ｂが周期的に配列された構成となっている。各カラーフィルタ２２Ｒ，２２Ｇ，２２Ｂは、前記素子基板２５の画素電極３１に対応して形成されている。そのカラーフィルタ２２Ｒ，２２Ｇ，２２Ｂを覆うように、対向電極９が形成されている。対向電極９は、ＩＴＯ等の透明導電材料によって略帯状に形成され、前記素子基板２５のデータ線１１と交差する方向に延在し、走査線として機能するようになっている。なお、画素電極３１の形成領域により１ドットが構成され、カラーフィルタ２２Ｒ，２２Ｇ，２２Ｂを備えた３ドットにより１画素が構成されている。
【００２６】
（断面構造）
図３は、第１実施形態に係る液晶表示装置の説明図であり、図３（ａ）は素子基板の平面図であり、図３（ｂ）は図２のＡ−Ａ線に沿う側面断面図である。なお図３（ｂ）では、理解を容易にするため、素子基板２５におけるＴＦＤ素子および各種配線の記載を省略している。なお、素子基板２５の内側に形成された配向膜３３の構造と、ＣＦ基板１０の内側に形成された配向膜２３の構造については、後に詳述する。
【００２７】
図３（ｂ）に示すように、素子基板２５およびＣＦ基板１０の間に、誘電異方性が負の液晶材料からなる液晶層５０が挟持されている。この液晶材料は、液晶分子５１により概念的に示すように、非選択電圧印加時には配向膜に対して略垂直に配向し、選択電圧印加時には配向膜に対して略平行に（すなわち、電界方向と略垂直に）配向するものである。なお、素子基板２５およびＣＦ基板１０の周縁部に塗布されたシール材（不図示）により、素子基板２５およびＣＦ基板１０が相互に接着されるとともに、素子基板２５およびＣＦ基板１０とシール材とによって形成される空間に液晶層５０が封入されている。また液晶層５０の厚さ（セルギャップ）は、ＣＦ基板１０から立設したフォトスペーサ（不図示）を素子基板２５に当接させることによって規制されている。
【００２８】
一方、素子基板２５の外面には位相差板３６及び偏光板３７が設けられ、ＣＦ基板１０の外面にも位相差板２６及び偏光板２７が設けられている。この偏光板２７，３７は、特定方向に振動する直線偏光のみを透過させる機能を有する。また位相差板２６，３６には、可視光の波長に対して略１／４波長の位相差を持つλ／４板が採用されている。なお、偏光板２７，３７の透過軸と位相差板２６，３６の遅相軸とが約４５°をなすように配置されて、偏光板２７，３７および位相差板２６，３６により各々円偏光板が構成されている。この円偏光板により、直線偏光を円偏光に変換し、円偏光を直線偏光に変換しうるようになっている。また、偏光板２７の透過軸および偏光板３７の透過軸は直交するように配置され、位相差板２６の遅相軸および位相差板３６の遅相軸も直交するように配置されている。
【００２９】
本実施形態では、偏光板２７，３７＋λ／４位相差板２６，３６により円偏光板を構成したが、これに代えて偏光板＋λ／２板＋λ／４板により広帯域円偏光板を構成すれば、黒表示をより無彩色にすることができる。また、偏光板＋λ／２板＋λ／４板＋負のＣプレート（膜厚方向に光軸を有する位相差板）の構成とすれば、液晶表示装置の広視角化を図ることができる。
【００３０】
さらに、ＣＦ基板１０の外面側にあたる液晶セルの外側には、光源、リフレクタ、導光板などを有するバックライト（照明手段）６０が設置されている。
そして、図３に示す透過型の液晶表示装置では、次のようにして画像表示が行われる。バックライト６０からＣＦ基板１０に入射した光は、偏光板２７および位相差板２６を透過して円偏光に変換され、液晶層５０に入射する。非選択電圧印加時において、垂直配向している液晶分子には屈折率異方性がないので、入射光は円偏光を保持したまま液晶層５０を透過する。さらに円偏光は、位相差板３６を透過する過程で、偏光板３７の透過軸と直交する直線偏光に変換される。そして、この直線偏光は偏光板３７を透過しないので、本実施形態の液晶表示装置では、非選択電圧印加時において黒表示が行われる（ノーマリーブラックモード）。
【００３１】
また、液晶層５０に選択電圧を印加すると、液晶分子が基板と略平行に（電界方向と略垂直に）再配向して、屈折率異方性を具備する。そのため、液晶層５０に入射した円偏光は、液晶層５０を透過する過程で楕円偏光に変換される。この入射光が位相差板３６を透過しても、偏光板３７の透過軸と直交する直線偏光には変換されず、その全部または一部が偏光板３７を透過する。したがって、本実施形態の液晶表示装置では、選択電圧印加時において白表示が行われる。なお、液晶層５０に印加する電圧を調整することにより、階調表示を行うことも可能である。
【００３２】
（配向分割手段）
なお、図３（ａ）に示す画素電極３１には、その長辺から中央に向かって伸びる複数のスリット４５が形成されている。これにより、１つの画素電極３１は、長手方向に沿って複数（図３（ａ）では３個）のサブドット４１に分割されている。各サブドット４１は、円形や正多角形（図３（ａ）では正八角形）等に形成され、相互に導通接続されている。そして、端部に配置されたサブドット４１が、ＴＦＤ素子１３を介して、データ線１１に接続されている。
この画素電極３１と対向電極との間に選択電圧を印加すると、サブドット４１の周辺におけるスリット４５の形成部では、斜め電界が生じる。すると、非選択電圧印加時に垂直配向していた液晶分子が、サブドット４１の周辺部から中心部に向かって傾倒する。このように、サブドット４１およびスリット４５は配向分割手段として機能し、液晶分子は全方向に配向分割される。これにより、液晶分子のダイレクタを複数作り出すことが可能になり、視野角の広い液晶表示装置を提供することができる。
【００３３】
また、図３（ｂ）に示すように、対向電極９の表面には、樹脂等の電気絶縁性材料からなる突起１８が形成されている。突起１８は、素子基板２５に形成されたサブドットの中心に対応する対向電極９上の位置に形成されている。
非選択電圧印加時の液晶分子は、突起１８の表面に対して垂直配向（すなわち、素子基板２５の表面に対してチルト配向）している。この状態で、画素電極３１と対向電極９との間に選択電圧を印加すると、チルト配向および斜め電界の影響により、液晶分子は突起１８を中心としてサブドットの周辺部に向かって傾倒する。すなわち、突起１８も配向分割手段として機能する。これにより、図３（ａ）に示すサブドット４１およびスリット４５とともに、液晶分子のダイレクタを複数作り出すことが可能になり、視野角の広い液晶表示装置を提供することができる。なお配向分割手段として、突起１８の代わりに、対向電極に開口部を形成してもよい。
【００３４】
（配向規制手段）
図３（ｂ）に示すように、素子基板２５の内側には、非選択電圧印加時における液晶分子の配向規制手段として、配向膜３３が形成されている。なお、ＣＦ基板１０の内側に形成された配向膜２３も、素子基板２５の内側に形成された配向膜３３と同様であるから、以下には、配向膜３３の場合を例にして説明する。
配向膜３３は、非選択電圧印加時における液晶分子を素子基板２５に対して略垂直配向させるものであり、ポリイミド等で構成されている。配向膜３３の表面には、ラビング処理が施されている。ラビング処理は、フェルトや木綿などのラビング布をローラに巻きつけ、このローラを回転させて配向膜３３の表面を所定方向に擦ることによって行うことができる。
【００３５】
本実施形態では、素子基板におけるデータ線と平行にラビング処理が施されている。具体的には、素子基板２５の配向膜３３に対して、図３（ａ）に矢印１２で示す方向にラビング処理が施されている。これにより、非選択電圧印加時における液晶分子は、図３（ｂ）に示す素子基板２５の垂直方向からデータ線１１の延在方向に向かって傾斜配向することになり、例えば配向膜３３の表面に対して８９°のプレチルトが与えられる。なお、素子基板２５の配向膜３３に対して矢印１２で示す方向にラビング処理が施されている場合に、図３（ｂ）に示すＣＦ基板１０の配向膜２３には、上記矢印とは正反対の方向（反平行）にラビング処理を施すことが望ましい。これにより、液晶層５０を構成するほとんど全ての液晶分子を、非選択電圧印加時において同じ方向に傾倒させることができる。なお、素子基板２５の配向膜３３のみ、あるいはＣＦ基板１０の配向膜２３のみに、上述したラビング処理を施してもよい。
【００３６】
図４はサブドットおよびデータ線上における液晶分子の配向状態の説明図であり、図４（ａ）は本実施形態の配向膜を採用して液晶を傾斜配向させた場合であり、図４（ｂ）は従来の配向膜を採用して液晶を垂直配向させた場合である。
図４（ｂ）に示すように、選択電圧印加時において隣接する画素電極３１が同程度の電位となった場合に、両者間のデータ線１１上に配置された液晶分子５２は、そのデータ線１１に沿って傾倒する。その際、配線の上流方向に傾倒する液晶分子群５２ａと、下流方向に傾倒する液晶分子群５２ｂとが、同じ確率で発生する。したがって、異なる配向領域の境界部であるディスクリネーション５２ｃは、データ線１１上のランダムな位置に発生する。なお、このディスクリネーション５２ｃ自体は、配線やブラックマトリクスに隠れてしまうため、表示品質上の問題は生じない。しかしながら、画素電極３１を構成するサブドット４１上の液晶分子５１が、このディスクリネーション５２ｃに引きずられて偏向するため、ざらざらとしたしみ状のむらとして見えるという問題が生じる。
【００３７】
これに対して、図４（ａ）に示すように、本実施形態の配向膜は、データ線１１と平行な矢印１２の方向にラビング処理が施されている。そのため、非選択電圧印加時における液晶分子５２は、配向膜の垂直方向からラビング方向とは反対方向に傾斜配向している。そして、選択電圧を印加すると、データ線１１上の全ての液晶分子５２は、非選択電圧印加時に傾斜配向していた方向、すなわちデータ線１１の上流方向または下流方向のいずれか一方向のみに傾倒する。なお、ラビング処理によるプレチルトはわずかであるから、サブドット４１上の液晶分子は、突起やスリット等の配向分割手段に従って傾倒する。
このように、データ線１１上に異なる配向領域が発生しないので、データ線１１上にディスクリネーションが発生しない。これに伴って、サブドット４１上の液晶分子５１の偏向を防止することが可能になり、表示むらの発生を阻止することができる。
【００３８】
なお、図４（ｂ）に示す従来の液晶表示装置では、ディスクリネーション５２ｃの発生位置を制御することができなかった。そこで、サブドット４１上の液晶分子５１がディスクリネーション５２ｃに引きずられて偏向するのを防止するため、サブドット４１とデータ線１１との間に広い隙間を確保していた。加えて、データ線１１に近接するサブドット４１の端辺を短くするため、画素電極３１を多数のサブドット４１に分割すべく、画素電極３１に多数のスリットを形成していた。その結果、画素電極３１の面積で示される開口率が低下し、表示が暗くなるという問題があった。
【００３９】
図５は、第１実施形態の液晶表示装置の変形例における画素電極の平面図である。本実施形態では、データ線１１上におけるディスクリネーションの発生を防止することができるので、サブドット４１とデータ線１１との間に広い隙間を確保する必要がない。加えて、データ線１１に近接するサブドット４１の端辺を長くすることが可能になり、画素電極３１のサブドット４１への分割数を少なくすることができる。図５の変形例では、画素電極３１を２個のサブドット４１に分割している。その際、画素電極３１に多数のスリット４５を形成する必要がない。これらにより、開口率を向上させることができる。なお、図５の変形例では、サブドット４１の中央部に相当するＣＦ基板上に十字型の突起１８を設けて、サブドット４１内に液晶分子のダイレクタを複数作り出している。
【００４０】
なお本実施形態では、スイッチング素子として薄膜ダイオード（Thin Film Diode、以下「ＴＦＤ」という）素子を用いたアクティブマトリクス方式の液晶表示装置を例にして説明したが、薄膜トランジスタ（Thin Film Transistor；ＴＦＴ）素子等の他のスイッチング素子を用いることも可能である。また本実施形態の液晶表示装置では、観察者側に素子基板を配置し光源側にＣＦ基板を配置したが、これとは逆に光源側に素子基板を配置し観察者側にＣＦ基板を配置することも可能である。また本実施形態の液晶表示装置では、素子基板側にデータ線を配置しＣＦ基板側に走査線を配置したが、これとは逆に素子基板側に走査線を配置しＣＦ基板側にデータ線を配置してもよい。
【００４１】
［第２実施形態］
次に、本発明の第２実施形態に係る液晶表示装置につき、図６および図７を用いて説明する。
図６は第２実施形態の液晶表示装置の説明図であり、図６（ａ）は素子基板の平面図であり、図６（ｂ）は図６（ａ）のＣ−Ｃ線における側面断面図である。図６に示す第２実施形態の液晶表示装置は、半透過反射型の液晶表示装置であり、画素電極の形成領域（ドット領域）に透過表示領域Ｔと反射表示領域Ｒとが設けられ、少なくとも反射表示領域Ｒに液晶層厚調整層２１が設けられている点で、透過型の液晶表示装置である第１実施形態と相違する。そして、第２実施形態の液晶表示装置は、透過表示領域Ｔのみに開口部１９やスリット４５等の配向分割手段が設けられ、反射表示領域Ｒには配向分割手段が設けられていない点で、ドット領域全体に配向分割手段が設けられている第１実施形態と相違する。なお、第１実施形態と同様の構成となる部分については、同一の符号を付してその詳細な説明を省略する。
【００４２】
図６（ｂ）に示すように、ＣＦ基板１０の内側におけるドット領域の一方端部には、表面に凹凸を有する樹脂層２０ａが形成されている。この樹脂層２０ａは、樹脂レジストをパターニングし、その表面にもう一層の樹脂を塗布することで得られる。また、パターニングした樹脂レジストに熱処理を加えて、形状を調整することによっても得ることができる。その樹脂層２０ａの表面には、アルミニウムや銀等の反射率の高い金属膜等からなる反射膜２０が形成されている。この反射膜２０の形成領域と画素電極３１の形成領域とのオーバーラップ部分が反射表示領域Ｒとなり、反射膜２０の非形成領域と画素電極３１の形成領域とのオーバーラップ部分が透過表示領域Ｔとなっている。
【００４３】
その反射膜２０の表面には、ＣＦ層２２を挟んで、液晶層厚調整層２１が形成されている。この液晶層厚調整層２１は、アクリル樹脂等の電気絶縁性材料からなり、その厚さは例えば０．５〜２．５μｍ程度とされている。これにより、反射表示領域Ｒにおける液晶層５０の層厚が、透過表示領域Ｔにおける液晶層５０の層厚の半分程度に設定されて、マルチギャップ構造が実現されている。なお、反射表示領域Ｒと透過表示領域Ｔとの境界部には、液晶層厚調整層２１の傾斜領域が形成されている。そして、その液晶層厚調整層２１の表面からＣＦ層２２の表面にかけて、対向電極９が形成されている。
【００４４】
半透過反射型の液晶表示装置では、反射表示領域Ｒへの入射光は液晶層５０を２回透過するが、透過表示領域Ｔへの入射光は液晶層５０を１回しか透過しない。この場合、反射表示領域Ｒと透過表示領域Ｔとの間で液晶層５０のリタデーション（位相差値）が異なると、光透過率に差異を生じて均一な画像表示が得られないことになる。しかしながら、液晶層厚調整層２１を設けることにより、反射表示領域Ｒにおいてリタデーションを調整することが可能となっている。したがって、反射表示領域Ｒおよび透過表示領域Ｔにおいて均一な画像表示を得ることができる。
【００４５】
一方、図６（ａ）に示すように、素子基板の内側に形成された画素電極３１は、複数のサブドットに分割されている。具体的には、第１サブドット４１が反射表示領域Ｒに配置され、第２サブドット４２および第３サブドット４３が透過表示領域Ｔに配置されて、相互に導通接続されている。
【００４６】
そのうち、透過表示領域に配置された第２サブドット４２および第３サブドット４３は、円形や正多角形（図６（ａ）では正八角形）等に形成されている。これらサブドットの周縁部のスリット４５は、後述するように液晶分子の配向分割手段として機能する。これに対して、反射表示領域Ｒに配置された第１サブドット４１は、矩形に形成されて最大限に面積が確保されているが、その周辺部のスリットは配向分割手段としての機能が小さくなっている。
【００４７】
一方、透過表示領域Ｔに配置された第２サブドット４２および第３サブドット４３の中央部に相当する対向電極上の位置には、開口部１９が形成されている。この開口部１９は、後述するように液晶分子の配向分割手段として機能する。なお、開口部１９の代わりに第１実施形態と同様の突起を設けてもよい。これに対して、反射表示領域Ｒの対向電極には、開口部や突起等の配向分割手段が設けられていない。
【００４８】
また、図６（ｂ）に示すように、素子基板２５の内側には配向膜３３が形成され、ＣＦ基板１０の内側には配向膜２３が形成されている。また、素子基板２５の配向膜３３には、図６（ａ）に示すデータ線１１と平行な矢印１２の方向にラビング処理が施されている。また、図６（ｂ）に示すＣＦ基板１０の配向膜２３には、配向膜３３と正反対の方向にラビング処理が施されている。これにより、非選択電圧印加時における液晶分子は、各基板の垂直方向からデータ線の延在方向に向かって傾斜配向するようになっている。すなわち、配向膜２３および配向膜３３は、非選択電圧印加時における液晶分子の配向規制手段として機能する。
【００４９】
もっとも、ラビング処理によるプレチルトはわずかであるから、突起やスリット等の配向分割手段に比べて配向規制力が小さい。そのため、図６（ａ）に示す透過表示領域Ｔに配置された第２サブドット４２および第３サブドット４３上の液晶分子に選択電圧を印加すると、配向分割手段に従って開口部１９を中心として放射状に傾倒する。これに対して、反射表示領域Ｒには配向分割手段が設けられていないので、反射表示領域Ｒに形成された第１サブドット４１上の液晶分子に選択電圧を印加すると、配向規制手段に従ってデータ線１１と平行に一様に傾倒する。
【００５０】
図７は液晶分子を一様に傾倒させた場合の視角特性の説明図であり、図７（ａ）は透過表示の場合であり、図７（ｂ）は反射表示の場合である。まず、図７（ａ）に示すように液晶分子５１を一様に傾倒させて透過表示を行う場合には、液晶分子５１の傾倒方向と入射光９１，９２の入射角度との関係でリタデーションが異なることになる。これにより、液晶表示装置の視野角が狭くなる。一方、図７（ｂ）に示すように液晶分子５１を一様に傾倒させて反射表示を行う場合には、入射光９３および反射光９４のリタデーションが異なるが、その総和は平均化されて入射角度によらずほぼ一定となる（自己補償性）。したがって、液晶表示装置の視野角が広くなる。このように、反射表示領域においては、液晶分子を一様に傾倒させた場合でも、液晶表示装置の視野角を確保することが可能である。
【００５１】
これにより、図６（ａ）に示す反射表示領域Ｒには、配向分割手段を設ける必要がないので、画素電極３１の第１サブドット４１を矩形とし、対向電極にも開口部を形成せずに、電極面積を確保することができる。したがって、開口率を向上させることができる。
【００５２】
なお本実施形態では、スイッチング素子として薄膜ダイオード（Thin Film Diode、以下「ＴＦＤ」という）素子を用いたアクティブマトリクス方式の液晶表示装置を例にして説明したが、薄膜トランジスタ（Thin Film Transistor；ＴＦＴ）素子等の他のスイッチング素子を用いることも可能である。また本実施形態の液晶表示装置では、観察者側に素子基板を配置し光源側にＣＦ基板を配置したが、これとは逆に光源側に素子基板を配置し観察者側にＣＦ基板を配置することも可能である。また本実施形態の液晶表示装置では、素子基板側にデータ線を配置しＣＦ基板側に走査線を配置したが、これとは逆に素子基板側に走査線を配置しＣＦ基板側にデータ線を配置してもよい。また本実施形態の液晶表示装置では、ＣＦ基板側に液晶層厚調整層を設けたが、素子基板側に設けてもよいし、両方の基板に設けてもよい。
【００５３】
［第３実施形態］
次に、本発明の第３実施形態に係る液晶表示装置につき、図８ないし図１０を用いて説明する。
図９に示す第２実施形態の液晶表示装置は、半透過反射型の液晶表示装置であり、スイッチング素子としてＴＦＴ素子３０を採用している点で、ＴＦＤ素子を採用している第１実施形態と相違している。そして、第２実施形態の液晶表示装置は、液晶層厚調整層２１の傾斜領域２１ａに相当する画素電極３１上の位置にスリットが設けられていない点で、スリット４６（図６（ａ）参照）が設けられている第２実施形態と相違している。なお、第１実施形態および第２実施形態と同様の構成となる部分については、同一の符号を付してその詳細な説明を省略する。
【００５４】
（等価回路）
図８は、ＴＦＴ素子を用いた液晶表示装置の等価回路図である。液晶表示装置の画像表示領域には、データ線６ａおよびゲート線３ａが格子状に配置され、両者の交点付近には、画像表示単位であるドットが配置されている。そして、マトリクス状に配置された複数のドットには、それぞれ画素電極３１が形成されている。その画素電極３１の側方には、当該画素電極３１への通電制御を行うためのスイッチング素子であるＴＦＴ素子３０が形成されている。このＴＦＴ素子３０のソースには、データ線６ａが電気的に接続されている。各データ線６ａには画像信号Ｓ１、Ｓ２、‥、Ｓｎが供給される。なお画像信号Ｓ１、Ｓ２、‥、Ｓｎは、各データ線６ａに対してこの順に線順次で供給してもよく、相隣接する複数のデータ線６ａに対してグループ毎に供給してもよい。
【００５５】
また、ＴＦＴ素子３０のゲートには、ゲート線（走査線）３ａが電気的に接続されている。ゲート線３ａには、所定のタイミングでパルス的に走査信号Ｇ１、Ｇ２、‥、Ｇｎが供給される。なお走査信号Ｇ１、Ｇ２、‥、Ｇｎは、各ゲート線３ａに対してこの順に線順次で印加する。また、ＴＦＴ素子３０のドレインには、画素電極３１が電気的に接続されている。そして、ゲート線３ａから供給された走査信号Ｇ１、Ｇ２、‥、Ｇｎにより、スイッチング素子であるＴＦＴ素子３０を一定期間だけオン状態にすると、データ線６ａから供給された画像信号Ｓ１、Ｓ２、‥、Ｓｎが、各画素の液晶に所定のタイミングで書き込まれるようになっている。
【００５６】
液晶に書き込まれた所定レベルの画像信号Ｓ１、Ｓ２、‥、Ｓｎは、画素電極３１と後述する共通電極との間に形成される液晶容量で一定期間保持される。なお、保持された画像信号Ｓ１、Ｓ２、‥、Ｓｎがリークするのを防止するため、画素電極３１と容量線３ｂとの間に蓄積容量１７が形成され、液晶容量と並列に配置されている。そして、上記のように液晶に電圧信号が印加されると、印加された電圧レベルにより液晶分子の配向状態が変化する。これにより、液晶に入射した光が変調されて階調表示が可能となっている。
【００５７】
（平面構造、断面構造）
図９は第３実施形態の液晶表示装置の説明図であり、図９（ａ）は素子基板の平面図であり、図９（ｂ）は図９（ａ）のＥ−Ｅ線における側面断面図である。
上述したように、ＴＦＴ素子３０を採用する場合には、画素電極３１と容量線（不図示）との間に蓄積容量を形成する必要がある。そこで、画素電極３１を光源側基板に配置するとともに、容量線をその外側に配置すれば、容量線による開口率の低下を回避することができる。したがって、図９（ｂ）に示すように、本実施形態では素子基板２５が光源側（下側）に配置され、ＣＦ基板１０が観察者側（上側）に配置されている。
【００５８】
素子基板２５では、反射膜２０の表面に液晶層厚調整層２１が形成されている。なお、反射表示領域Ｒと透過表示領域Ｔとの境界部には、液晶層厚調整層２１の傾斜領域２１ａが形成されている。そして、素子基板２５の内側には、画素電極３１が形成されている。
【００５９】
図９（ａ）に示すように、画素電極３１は複数のサブドットに分割されている。具体的には、第１サブドット４１が反射表示領域Ｒから透過表示領域Ｔにかけて連続形成され、第２サブドット４２が透過表示領域Ｔの端部に形成されて、相互に導通接続されている。そして、第１サブドット４１は、ＴＦＴ素子３０を介して、ゲート線３ａおよびデータ線６ａに接続されている。
【００６０】
そのうち、透過表示領域に配置された第２サブドット４２は、円形や正多角形（図９（ａ）では正八角形）等に形成されている。第２サブドット４２の周縁部のスリット４５は、後述するように液晶分子の配向分割手段として機能する。これに対して、第１サブドット４１は、矩形の四隅のうち透過表示領域Ｔ側の二隅を面取りした形状となっている。そして、この透過表示領域Ｔ側の二隅を構成するスリット４５のみが、後述するように液晶分子の配向分割手段として機能する。
【００６１】
一方、透過表示領域Ｔに配置された第１サブドット４１および第２サブドット４２の中央部に相当する対向電極上の位置には、開口部１９が形成されている。この開口部１９は、後述するように液晶分子の配向分割手段として機能する。なお、開口部１９の代わりに第１実施形態と同様の突起を設けてもよい。これに対して、反射表示領域Ｒの対向電極には、開口部や突起等の配向分割手段が設けられていない。
【００６２】
そして、図９（ｂ）に示すように、素子基板２５の内側には配向膜３３が形成され、ＣＦ基板１０の内側には配向膜２３が形成されている。また、素子基板２５の配向膜３３には、図９（ａ）に示すデータ線６ａと平行な矢印１２の方向にラビング処理が施されている。さらに、図９（ｂ）に示すＣＦ基板１０の配向膜２３には、配向膜３３と正反対の方向にラビング処理が施されている。これにより、非選択電圧印加時における液晶分子は、素子基板２５の表面から垂直方向に伸び、その先端が反射表示領域Ｒから透過表示領域Ｔに向かって倒れるように傾斜配向する。すなわち、配向膜２３および配向膜３３は、非選択電圧印加時における液晶分子の配向規制手段として機能する。
【００６３】
図１０は、第３実施形態の液晶表示装置の選択電圧印加時における配向状態の説明図である。本実施形態の液晶表示装置において、透過表示領域Ｔにはスリット４５や開口部１９等の配向分割手段が設けられている。この配向分割手段の配向規制力は、上述した配向規制手段の配向規制力に比べて大きい。そこで、選択電圧を印加すると、透過表示領域Ｔにおける第１サブドット４１上の液晶分子は、配向分割手段に従って開口部１９を中心として放射状に再配向する。一方、反射表示領域Ｒには配向分割手段が設けられていない。そこで、選択電圧を印加すると、反射表示領域Ｒにおける第１サブドット４１上の液晶分子は、配向規制手段である配向膜により与えられたプレチルトに従って一様に傾倒する。なお、液晶分子が一様に配向した場合でも、反射表示領域Ｒにおいて広視野角を確保することができるのは、第２実施形態と同様である。
【００６４】
また、反射表示領域Ｒと透過表示領域Ｔとの境界部に形成された液晶層厚調整層の傾斜領域２１ａでも、非選択電圧印加時の液晶分子は、傾斜領域２１ａの表面から垂直方向に伸び、その先端が反射表示領域Ｒから透過表示領域Ｔに向かって倒れるように傾斜配向している。そのため、選択電圧印加時の液晶分子は、その先端が反射表示領域Ｒから透過表示領域Ｔに向かって倒れるように再配向する。これにより、第１サブドット４１上の液晶分子５１は、反射表示領域Ｒから透過表示領域Ｔにかけて連続的につながるので、ざらざらとしたしみ状のむらや残像といった液晶配向に起因する表示不良が発生しない。
【００６５】
ところで、従来の液晶表示装置では、非選択電圧印加時には液晶分子が液晶層厚調整層の傾斜領域２１ａに対して垂直に配向し、選択電圧印加時には液晶分子の先端が反射表示領域Ｒから透過表示領域Ｔに向かって倒れるように再配向していた。ただし、傾斜領域２１ａでは、非選択電圧印加時の液晶分子のチルト方向と、選択電圧印加時の電界方向とが略一致しているため、上記の再配向力は弱いものであった。そのため、傾斜領域２１ａにディスクリネーションが発生するおそれがあった。そこで、傾斜領域２１ａにおける液晶分子の配向を制御するため、傾斜領域２１ａに沿って画素電極３１にスリットを設けていた。
【００６６】
これに対して、本実施形態の液晶表示装置では、配向膜によりプレチルトが与えられているため、選択電圧印加時における液晶分子は、その先端が反射表示領域Ｒから透過表示領域Ｔに向かって倒れるように再配向しやすくなっている。したがって、傾斜領域２１ａにおけるディスクリネーションの発生を防止することができる。
これに伴って、傾斜領域２１ａに沿って画素電極３１にスリットを設ける必要がなくなるので、反射表示領域Ｒから透過表示領域Ｔにかけて画素電極３１を連続形成することが可能になり、電極面積を確保することができる。したがって、開口率を向上させることができる。
【００６７】
なお本実施形態では、スイッチング素子として薄膜トランジスタ（Thin Film Transistor；ＴＦＴ）素子を用いたアクティブマトリクス方式の液晶表示装置を例にして説明したが、薄膜ダイオード（Thin Film Diode、以下「ＴＦＤ」という）素子等の他のスイッチング素子を用いることも可能である。また本実施形態の液晶表示装置では、素子基板側に液晶層厚調整層を設けたが、ＣＦ基板側に設けてもよいし、両方の基板に設けてもよい。
【００６８】
［電子機器］
図１１は、本発明に係る電子機器の一例を示す斜視図である。図１１に示す携帯電話１３００は、本発明の表示装置を小サイズの表示部１３０１として備え、複数の操作ボタン１３０２、受話口１３０３、及び送話口１３０４を備えて構成されている。
上記各実施の形態の表示装置は、上記携帯電話に限らず、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、明るく、高コントラストであり、かつ広視野角の表示が可能になっている。
【００６９】
なお、本発明の技術範囲は、上述した各実施形態に限定されるものではなく、本発明の趣旨を逸脱しない範囲において、上述した各実施形態に種々の変更を加えたものを含む。すなわち、各実施形態で挙げた具体的な材料や構成などはほんの一例に過ぎず、適宜変更が可能である。
【図面の簡単な説明】
【００７０】
【図１】ＴＦＤ素子を用いた液晶表示装置の等価回路図である。
【図２】ＴＦＤ素子を用いた液晶表示装置の表示領域を示す部分斜視図である。
【図３】第１実施形態の液晶表示装置の説明図である。
【図４】サブドットおよびデータ線上における液晶分子の配向状態の説明図である。
【図５】第１実施形態の液晶表示装置の変形例の説明図である。
【図６】第２実施形態の液晶表示装置の説明図である。
【図７】液晶分子を一様に傾倒させた場合の視角特性の説明図である。
【図８】ＴＦＴ素子を用いた液晶表示装置の等価回路図である。
【図９】第３実施形態の液晶表示装置の説明図である。
【図１０】選択電圧印加時における配向状態の説明図である。
【図１１】携帯電話の斜視図である。
【符号の説明】
【００７１】
１０‥カラーフィルタ基板  １１‥データ線  ２３‥配向膜  ２５‥素子基板  ３１‥画素電極  ３３‥配向膜  ５０‥液晶層  ５１‥液晶分子
【図１】
2006071868.tif 000003
【図２】
2006071868.tif 000004
【図３】
2006071868.tif 000005
【図４】
2006071868.tif 000006
【図５】
2006071868.tif 000007
【図６】
2006071868.tif 000008
【図７】
2006071868.tif 000009
【図８】
2006071868.tif 000010
【図９】
2006071868.tif 000011
【図１０】
2006071868.tif 000012
【図１１】
2006071868.tif 000013